(57)【要約】  通信システムの２以上のユーザの共通の関心に関連するデータを処理する技術が開示されている。ここに開示されている方法の一例においては、第一通信装置と第二通信装置との間の通信に関連するトリガイベントの発生が第一通信装置において検出される（３１０）。トリガイベントに応じて、第一通信装置のユーザの１以上の関心を示す情報を含む第一データオブジェクトの第二通信装置への伝送が開始される（３３０）。方法の一例においては、さらに、第一データオブジェクトに応じて作成される、第一通信装置のユーザと第二通信装置のユーザとが共有する共通の１以上の関心に関連するデータを有する第二データオブジェクトを受信し（３４０）、処理する（３５０）が含まれる。対応して構成された装置として、ユーザ通信装置（６００）又はデータオブジェクトサーバ（７００）で実装することに好適な同様の方法も開示されている。
2010529714.tif 000002
【特許請求の範囲】
【請求項１】
通信システムのユーザに共通する関心のデータを処理する方法であって、
第一通信装置と第二通信装置との間の通信に関連するトリガイベントの発生を検出する工程（３１０）と、
前記トリガイベントの発生に応じて、前記第一通信装置のユーザの１以上の関心を示す情報を含んだ第一データオブジェクトの、前記第二通信装置への伝送を開始する工程（３３０）と、
前記第一データオブジェクトに応じて作成された、前記第一通信装置のユーザと前記第二通信装置のユーザとが共有する共通の１以上の関心に関連するデータを含んだ第二のデータオブジェクトを受信する工程（３４０）と、
前記第二のデータオブジェクトを処理する工程（３５０）と
を有することを特徴とする方法。
【請求項２】
前記第一データオブジェクトの前記第二通信装置への伝送を開始する前記工程（３３０）は、データオブジェクトサーバが、前記第一データオブジェクトを前記第二通信装置へ送信すること要求する工程を有することを特徴とする請求項１に記載の方法。
【請求項３】
前記第一データオブジェクトの前記第二通信装置への伝送を開始する前記工程（３３０）は、前記第一データオブジェクトを前記第二通信装置に送信する工程を有することを特徴とする請求項１に記載の方法。
【請求項４】
前記第一データオブジェクトの前記第二通信装置への伝送を開始する前記工程（３３０）の前に、前記第二通信装置に対応する少なくとも一つの属性に基づき前記第一データオブジェクトを組み立てる工程（３２０）をさらに有することを特徴とする請求項３に記載の方法。
【請求項５】
前記少なくとも一つの属性には、前記第二通信装置の１以上の通信アドレスと、前記第二通信装置のデバイス能力と、前記第一通信装置と前記第二通信装置との間の通信の通信種類と、前記第二通信装置のプリファレンスプロファイルとが含まれることを特徴とする請求項４に記載の方法。
【請求項６】
前記トリガイベントには、前記第一通信装置と前記第二通信装置との間に通信セション又は呼を確立することと、前記第一通信装置と前記第二通信装置との間に第二通信セッションを確立することと、タイマーに基づいた周期的またはランダムなイベントと、前記第一通信装置のユーザによる手動による起動とのいずれかが含まれることを特徴とする請求項１に記載の方法。
【請求項７】
通信システムのユーザに対して共通の関心のデータを提供する方法であって、
第一通信装置のユーザの１以上の関心を示す第一情報を含んだ第一データオブジェクトを受信する工程（５１０）と、
第二通信装置のユーザの１以上の関心を示す第二情報を取得する工程（５１５）と、
前記第一情報と前記第二情報とから、第一通信装置のユーザと第二通信装置のユーザとが共有する共通の１以上の関心に関連するデータを含む第二のデータオブジェクトを組み立てる工程（５４０）と、
前記第二のデータオブジェクトを前記第一の通信装置に送信する工程（５５０）と
を有することを特徴とする方法。
【請求項８】
データオブジェクトサーバで実行し、データベースから第二情報を取り出す（５１５）ことを有する第二情報を取得する（５１５）工程を備えることを特徴とする請求項７に記載の方法。
【請求項９】
データオブジェクトサーバで実行し、前記第一データオブジェクトは前記第二通信装置から受信と前記第一データオブジェクトから前記第二情報を取り出すこと有する第二情報取得（５１５）とを備えることを特徴とする請求項７に記載の方法。
【請求項１０】
データオブジェクトサーバで実行し、一つ又は複数の共通の関心項目に関係するデータ全てまたは一部は他のサーバから取得することを備えることを特徴とする請求項７に記載の方法。
【請求項１１】
前記第二通信装置で実行し、一つ又は複数の行動関心に関係するデータ全てまたは一部は、データオブジェクトサーバから第一データと第二ダータを使用し取得を備えることを特徴とする請求項７に記載の方法。
【請求項１２】
前記第一データオブジェクトは前記第一通信装置に対応する１以上の属性パラメータを有し、
前記第一情報と前記第二情報とから前記第二データオブジェクトを組み立てる前記工程は、前記１以上の属性パラメータに基づいて該第二データオブジェクトを適用する工程を有する
ことを特徴とする請求項７に記載の方法。
【請求項１３】
前記１以上の属性パラメータには、前記第一通信装置の１以上の通信アドレスと、前記第一通信装置のデバイス能力と、前記第一通信装置と前記第二通信装置との間の通信の通信種類と、前記第一通信装置のプリファレンスデータとが含まれることを特徴とする請求項１２に記載の方法。
【請求項１４】
通信システムのユーザに対して共通の関心のデータを提供する方法であって、
第二通信装置において、第一通信装置のユーザの１以上の関心を示す第一情報を含んだ第一データオブジェクトを受信する工程（４１０）と、
前記第一情報と、前記第二通信装置のユーザの１以上の関心を示す第二情報とから、データオブジェクト要求を組み立てる工程（４２０）と、
データオブジェクトサーバへ前記データオブジェクト要求を送信する工程（４３０）と、
前記データオブジェクト要求に応じて、前記第一通信装置のユーザと前記第二通信装置のユーザとが共有する共通の１以上の関心に関連するデータを含む第二データオブジェクトを受信する工程（４４０）と
を有することを特徴とする方法。
【請求項１５】
前記第一通信装置へ前記第二データオブジェクトを転送する（４５０）ことをさらに備えることを特徴とする請求項１４に記載の方法。
【請求項１６】
前記第一データオブジェクトが前記第一通信装置に対応する少なくとも一つの属性パラメータを有することと、前記第一情報と前記第二情報から第二データオブジェクトを組み立てるとき少なくとも一つの属性パラメータに基づいて第二データオブジェクトを適用することとをさらに備えることを特徴とする請求項１４に記載の方法。
【請求項１７】
第二通信装置と通信する第一通信装置（６００）であって、
当該第一通信装置（６００）は、
前記第一通信装置（６００）と前記第二通信装置との間での通信に関連するトリガイベントの発生を検出し、
前記トリガイベントの発生に応じて、前記第一通信装置（６００）のユーザの１以上の関心を示す情報を含んだ、第一データオブジェクトの前記第二通信装置への伝送を開始し、
第一データオブジェクトに応じて作成された、前記第一通信装置のユーザと前記第二通信装置のユーザとが共有する共通の１以上の関心に関連するデータを含む第二データオブジェクトを受信し、
前記第二データオブジェクトを処理する
のための処理ロジック（６５０、６５１）を有することを特徴とする第一通信装置。
【請求項１８】
前記第一データオブジェクトを前記第二通信装置に送信起因には、前記第一データオブジェクトを前記第二通信装置へ送信するようにデータオブジェクトサーバへ送信要求する処理ロジック（６５０、６５１）を設定することを備えることを特徴とする請求項１７に記載のデータの第一通信装置（６００）。
【請求項１９】
前記第一データオブジェクトを前記第二通信装置に送信起因（３３０）は前記第一データオブジェクトを前記第二通信装置に送信処理ロジック（６５０、６５１）を設定することを備えることを特徴とする請求項１７に記載のデータの第一通信装置（６００）。
【請求項２０】
前記第一データオブジェクトを組み立てるのは、前記第二通信装置に対応する、少なくとも一つの属性に基づくように処理ロジック（６５０、６５１）を設定することを備えることを特徴とする請求項１９に記載のデータの第一通信装置（６００）。
【請求項２１】
処理ロジック（７３０，７１０，７５０）を備えたデータオブジェクトサーバ（７００）であって、
前記処理ロジック（７３０，７１０，７５０）は、
第一通信装置のユーザの１以上の関心を示す第一情報を有する第一データオブジェクトを受信し、
前記第一情報と前記第二通信装置のユーザの１以上の関心を示す第二情報とから、前記第一通信装置のユーザと前記第二通信装置のユーザとが共有する共通の１以上の関心に関連するデータを含む第二データオブジェクトを組み立て、
前記第一通信装置に前記第二データオブジェクトを送信する
ことを特徴とするデータオブジェクトサーバ（７００）。
【請求項２２】
前記第二情報をデータベース（７４０）から取得するように処理ロジック（７３０、７１０、７５０）を設定することを備えることを特徴とする請求項２１に記載のデータの第一通信装置（７００）。
【請求項２３】
前記第二情報を第一データオブジェクトから取得するように処理ロジック（７３０、７１０、７５０）を設定することを備えることを特徴とする請求項２１に記載のデータの第一通信装置（７００）。
【請求項２４】
第一通信装置に対応する属性パラメータは少なくとも一つを有する第一データオブジェクトと、
第一情報と少なくとも一つの属性パラメータにより第二データオブジェクトを適用することを有する第二情報とで組み立てる第二データオブジェクトと、
であるように処理ロジック（７３０、７１０、７５０）を設定することを備えることを特徴とする請求項１９に記載のデータの第一通信装置（７００）。
【発明の詳細な説明】
【技術分野】
【０００１】
本発明は、一般に、通信システムに関する。さらに具体的には、本発明は、通信システムにおける通信装置に対するデータオブジェクトの送信に関する。
【背景技術】
【０００２】
［関連出願の相互参照］
本出願は、２００７年５月１５日出願の米国仮出願６０／９３８，１５４と２００７年１２月１３日出願の米国特許出願１１／９５５，４６７を基礎とする優先権を主張するものであり、これらの文献は参照により本明細書に組み込まれる。
【０００３】
音声ネットワークとデータ通信ネットワークとの統合に従って、携帯通信装置は、複数の通信モード、並びに、複数の通信関連のアプリケーションをますますサポートするようになっている。単一目的の携帯電話及び英数字のページャーは、音声通信、電子メール、インスタントメッセージをサポートする複合的な携帯装置にとって代わられている。一般的にそのような携帯装置は、カメラ、音楽プレーヤー、音声レコーダを有し、さらにＧＰＳ（Ｇｌｏｂａｌ  Ｐｏｓｉｔｉｏｎｉｎｇ  Ｓｙｓｔｅｍ）レシーバを有しているかもしれない。多数のこのような携帯装置とそれらをサポートする無線ネットワークでは、今や複数の通信モードが使用可能になっている。そのため、現在の装置ユーザが音声通信と同時にテキストメッセージ、デジタル画像、ビデオなどを送受信することがあり得る。
【０００４】
このような複数の通信モードを同時に使用できる利点を活用するための少数のアプリケーションが開発されている。特に、いくつかの特許と特許出願公開とでは、様々な通信関連のイベントによりマルチメーデアデータオブジェクトの生成と伝送がトリガされる、いわゆる電話ページシステム(Phone Page System)が説明されている。このため、このようなデータオブジェクト、又は電話ページは、音声呼、電子メール交換、又は、インスタントメッセージ会話などの、基本通信セッションを補足する。電話ページの概念は以下の特許と、特許出願で説明されており（特許文献１，特許文献２，特許文献３，特許文献４，特許文献５）、それらの内容はそれぞれ参照によりここに組み込まれる。 
【先行技術文献】
【特許文献】
【０００５】
【特許文献１】米国特許第６９２２７２１号，Minborgら，「通信システムにおける情報交換（Exchange of Information in a Communication System）」，2005年7月26日発行．
【特許文献２】米国特許出願公開第２００５/０２７１０４１  Ａ１号，Minborgら，「通信システムにおける情報交換（Exchange of Information in a Communication System）」，2005年6月1日出願．
【特許文献３】米国特許第６９９６０７２号，Minborg，「通信ネットワークにおける情報交換の方法及び装置（Method and Apparatus for Exchange of Information in a Communication Network）」，2006年2月7日発行．
【特許文献４】米国特許第６９７７９０９号，Minborg，「通信ネットワークにおける情報交換のシステム及び方法（System and Method for Exchange of Information in a Communication Network）」，2005年12月20日発行．
【特許文献５】米国特許出願公開第２００６/０１１４８４５号，Minborg，「通信ネットワークにおける情報交換のシステム及び方法（System and Method for Exchange of Information in a Communication Network）」，2005年11月14日出願．
【発明の概要】
【発明が解決しようとする課題】
【０００６】
上述の参考文献で説明されている通信技術と通信システムでは、通信装置のユーザ間で様々なデータオブジェクトを便利に交換することを容易にする、従来の通信モードの様々な機能強化が提案されている。それらの機能強化は、個人的な関係を深めるためにもビジネスと企業通信を支援するためにも非常に貴重であるかもしれない。しかしながら、抑制のない場合、増加したデータオブジェクトの流れはシステムユーザにもシステム自体にも圧倒的であるかもしれない。特に、ユーザは、受信したデータオブジェクトが自分の関心または行動に関連するのか気になるかもしれない。
【課題を解決するための手段】
【０００７】
本明細書では、通信セッションに参加している二人以上のパーティが共通の関心を有しているデータを処理する方法及び装置が開示されている。ここで開示されている発明的な技術は、通信システムのユーザの間で交換されるデータの関連性を制御するために役に立つ。方法の一例では、第一通信装置でトリガイベントの発生が検出される。そのトリガイベントは、第一通信装置と第二通信装置との間の通信に関連するものでもよい。トリガイベントに応じて、第一通信装置のユーザの１以上の関心を示す情報を含む第一データオブジェクトの、第二通信装置への送信が開始される。この方法の一例は、第一データオブジェクトに応じて作成された第二データオブジェクトを受信及び処理することをさらに含み、ここで第二テータオブジェクトには第一通信装置のユーザと第二通信装置のユーザとに共通する１以上の関心に関連する情報が含まれている。
【０００８】
本発明のもう一つの実施形態においては、例えば、上述の第一通信装置で作成されてもよい第一のデータオブジェクトが受信され、ここでも、第一データオブジェクトは第一通信装置のユーザの１以上の関心を示す情報を含む。これに応じて、第一情報と第二通信装置のユーザの１以上の関心を示す第二情報とを使用して、第一通信装置のユーザと第二通信装置のユーザとが共有する１以上の共通の関心に関連するデータを含む第二データオブジェクトが組み立てられる。この方法は、第二データオブジェクトを少なくとも第一通信装置に送信することをさらに含む。
【０００９】
以下説明される方法はある実施形態ではモバイル端末で実現され、ある実施形態ではデータオブジェクトサーバで実現され、さらにある実施形態では両方にも実現される。ここでは、通信装置ユーザ間で共通の関心を持つ情報を処理する通信装置の実施形態も公開され、さらに、本願発明の多数の側面からなるデータオブジェクトの実施例も公開される。もちろん、技術の分野における通常の知識を有する者は、本願発明は以上の背景または例に限らないことが分かるし、追加特徴や利点が以下の詳細の説明と図により分かるだろう。
【図面の簡単な説明】
【００１０】
【図１】本願発明の１以上の実施形態による通信システムを描いた図である。
【図２】通信システムの通信装置の間でデータオブジェクトを伝送する例示的なシステムを描いた図である。
【図３】本願発明の１以上の実施形態によるロジックフロー図である。
【図４】本願発明の他の実施形態によるロジックフロー図である。
【図５】本願発明の他の実施形態を示す他のロジックフロー図である。
【図６】通信装置の一例を描いたブロック図である。
【図７】データオブジェクトサーバの一例を描いたブロック図である。
【発明を実施するための形態】
【００１１】
以下、音声サービスとデータサービスをモバイル装置に提供する無線電気通信システムを参照して、本発明を説明する。音声とデータとの通信サービス提供する様々なシステムGSMネットワーク(回路交換方式通信を提案）、GPRS（パケット交換方式の通信を提案）、まだ開発中のものなどが配備されている。これらのシステムは時分割多重アクセス接続方式（TDMA）、符号分割多重アクセス方式（ＣＤＭＡ）、周波数分割多元接続方式（ＦＤＭA）、直交周波数分割多重方式（ＯＦＤＭＡ）、時間割デュープレックス（ＴＴＤ）、周波数割デュープレック（ＦＤＤ）のような無線通信技術を使用してもよい。本願発明は特定の無線通信ネットワークまたはアクセス技術に限定されない。技術の分野における通常の知識を有する者はここで説明するネットワーク設定は例に限らないことが分かるだろう。ここに開示されている発明的な技術は従来の音声とデータのネットワークをアクセスする有線装置にも無線装置にも適用できる。無線ローカルエリア・ネットワーク（ＷＬＡＮ）、３ＧＰＰ（3rd- Generation Partnership Project）で開発されている第3世代のネットワークのような一つ又は複数の新興のワイドエリアネットワークを通して音声またデータネットワークをアクセスする装置に適用できる。
【００１２】
図1は、本願発明による通信システムの一例を描いた図である。通信装置１００は、無線ネットワーク１２０に接続されている基地局（ＢＳ）１１０を通って他の装置と通信する。無線ネットワーク１２０は公衆交換電話網（ＰＳＴＮ）１２５とインターネット１３０とに接続されている。そのため、無線装置１００は、無線装置１３５、従来の有線電話１４０、またはパーソナル・コンピュータ１４５のような、様々な他の装置と通信することができる。図１において、無線装置１００はインターネット１３０を通したデータサーバへのアクセスを有している。データサーバ１５０は、格納装置１６０に格納されているデータまたはアプリケーションに対するインターネットを通したアクセスを提供するように構成されてもよい。格納装置１６０は、データサーバ１５０、又は、１以上の他のサーバに接続されたディスク・ドライブや、ＲＡＩＤ（Redundant Array of Inexpensive Drives）システムなどの、様々な１以上のデータ格納装置を有してもよい。
【００１３】
通信装置１００は、コードレス電話、携帯電話、パーソナル・デジタル・アシスタント（ＰＤＡ）、コミュニケーター（communicator）、コンピュターデバイスなどとしてよく、ＧＳＭ（Global System for Mobile Communications）または３ＧＰPで提案された一つまたは複数通信規格のような複数の通信規格と互換性があってもよい。通信装置１００は、静止画像と動画像のためデジタルカメラ、デジタル音声レコーダ、デジタル音楽プレーヤーなどを含んでもよい。通信装置１００は、音声通信に加えて、電子メール、テキストメセージ、画像メセージ、インスタント・メッセージ、ビデオコンファランス、ウェブブラウジングなどの様々なアプリケーションをサポートしてもよい。
【００１４】
通信装置１００、ＷＬＡＮ基地局１７０と通信するように設定されたＷＬＡＮ受信送信器をさらに含む。ＷＬＡＮ基地局１７０もインターネット１３０に接続されていて、通信装置１００に代わりとなるインターネット接続としてデータサーバ１５０のようなインターネットに基づくリソースに接続可能にする。さらに無線ネットワーク１２０には位置サーバ１８０を接続されている。位置サーバ１８０は、通常は、無線ネットワークの１２０のオパレータが管理するが、必要に応じて、別に管理されてもよい。位置サーバの第一の機能は無線ネットワーク１２を使ってモバイル端末の（例えば：モバイル端末１００）地理的な位置を決定することである。位置サーバから取得した位置情報１８０はモバイル端末が現在にいるセルを認識する情報、より正確なＧＰＳ（Global Positioning System ）技術に基づく情報などでもよい。
【００１５】
位置情報取得のために、いくつかの基地局のシグナル送信に基づく三角測量のような他の技術を使用してもよい。三角測量技術には、複数の基地局でモバイル端末のアップリンクシグナルの測定を利用する到着時間差(TDOA- time difference of arrival)技術、複数の基地局からのシグナルをモバイル端末１００で測定を利用する促進された観測時間（E-OTD Enhance-Observed Time Difference）技術などが含まれる。ＧＰＳに基づく技術としては、補助のため独立にモバイル端末１００から取得された現在のＧＰＳ衛星のステータス情報を利用するアシステッドＧＰＳ（Assisted-GPS）などが含まれてもよい。
【００１６】
図２は通信システムの通信装置が共通の関心を持つ情報を通信装置の間にやり取りするためのシステム２００の簡単化された図を表示している。システム２００は、第一通信装置Ａ２０５と、第二通信装置Ｂ２１０と、データオブジェクトサーバＣ２１５と、外部サーバＤ２２0とを含む。ある実施形態では、通信装置Ａ２０５と通信装置Ｂ２１0が例えば、図１の通信装置１００のようなエンドユーザ装置を備え、また、データオブジェクトサーバは２１５、図1のサーバ１５０またはサーバ１８０のようなサーバを備えてもよい。
【００１７】
ある実施形態では以下に説明される様々のシステムと方法が通信装置Ａ２０5と通信装置Ｂ２１０のユーザの間、例えば、トリガイベントの発生に従って、データオブジェクト送信と受信することで通信を可能にしてもよい。このデータオブジェクトはデジタル音楽、デジタル画像、ビデオクリップ、テキスト、などを含む。ある実施形態では、データオブジェクトが通信装置Ａ２０５と通信装置Ｂ２１０の通信セッションを行われる間で発生する様々なイベントに、例えば、以前参考文献で説明された電話ページに、特定的に関連させられていてもよい。このようなトリガイベントには、例えば、最初の音声通信または他の通信を確立、通信相手を保留にするように通信ステータスの変化、多数の通信相手と通信しているとき通信相手の参加と退会、などが含まれる。他のトリガイベントには以下のようなものが含まれるが、これに限られるわけではない。
―外部にかける呼が開始、又は、開始しようとすること
―通信相手は呼に応答すること
―通信相手はビシー状態であること
―通信相手は予定された回数電話ベルを鳴ったら応答しないこと
−通信相手は呼を拒絶すること
―通信相手は応答できないこと（例えば、宛先のモバイル電話がカバレッジから外に出ている）
―到着呼は開始しようとしている、又は、ちょうど開始したこと
―コンファランス呼が開始した、または、開始しようとしていること
―呼は切断されていること
−呼は通信中（この条件でさらに複数のトリガイベントを発生する）
―相手を保留すること
―相手の位置が変化したこと
―通信装置がＯＮ／OFFしたところ
―通信装置の特定な機能ボタンを押されること、クエリーに応じて、ボタン、または他のユーザインターフェース装置を動作させること
―音声メール、テキストメセージ、電子メールなどが受信されること
―音声メール、テキストメセージ、電子メールなどが受信されること
以上のトリガイベントは、従来の音声通信に関するものであるが、属する技術の分野における通常の知識を有する者には以上のトリガイベントが電子メール、ビデオコンファランス、チャトセッションのような他の通信モデルにも適用でいることが明らかである。
【００１８】
ある実施形態で、データオブジェクトは興味がある音楽、スタイル、レストラン、学校、職業、などの通信装置Ａ２０５と通信装置Ｂ２１０のユーザが共通に関心を持つデータまたは情報を含む。ある場合に、特定のデータオブジェクトを適切になるにはいくつかのトリガイベントが発生からである。どんな場合でも、データオブジェクト、又は、データオブジェクトを作成するために用いられる構成データは、通信装置、リモートサーバ、データベース、又は、他の格納装置に格納されてもよい。
【００１９】
図２に表示されるように、通信装置Ａ２０５と通信装置Ｂ２１０とのユーザが基本通信セッション２５０を使って通信を行っている。基本通信セッション２５０は音声通信（回線またはＶｏＩP），インスタント・メッセージ（ＩＭ）セッション、または他の通信モデルを含む。ある実施形態では、通信装置Ａ２０５も通信装置Ｂ２１０もユーザが関心を持っている領域を、言葉使用するまたは自主的な（ユーザのトランスアクションの過去のデータに基づき）様々なインタフェースを使用するアプリケーション使用し、または通信ネットワークに接続された、データベース（例：電話ページデータベース）、位置サーバのような他の要素のサポート使用し推定してもよい。ある実施形態では、そのような関心の領域、例えば興味のある音楽、レストラント、他の興味あるカテゴリーなど、を含んだデータオブジェクトを他のユーザに通信してもよい。ある実施形態では、通信装置Ｂ２１０との基本通信セッション２５０を行われる間には、トリガイベントが通信装置Ａ２０５で発生してもよい。例えば、そのようなトリガイベントは以下イベント、または以下イベントの組み合わせより発生する。
【００２０】
―ユーザＢとセッション確立を終了し、ファイルを一人のユーザまたは両方ユーザがダウンロードされる（結果として得られるデータオブジェクトはダウンロードコンテントに関する関心データを含んでもよい）。
―ユーザプロファイルまたはユーザプロファイルに関するデータベースに他のデバイスのユーザがアクセスする。
―ユーザＡが特定の情報を関連させられた個人データある場所にいること（例えば、ニューオーリンズではＪａｚｚ音楽が好き、シアトルにいるときはＧｒｕｎｇｅ音楽が好き）
―ユーザＡは手動でボタンまたは他のユーザインタフェース装置（明確なリクエスト）
―装置間のファイルの“共有”または他の送信（結果として得られるデータオブジェクトはファイルコンテント／ファイルタイプに関する関心データを含んでもよい）
―それら以外に上に説明したように、または米国特許第６９９６０７２号に公開されているように他にどれでもありトリガイベント。
【００２１】
ある実施形態では、トリガイベントを発見されると、通信装置Ａ２０５にあるアプリケーションがデータオブジェクトサーバＣ２１５へ、データオブジェクトサーバＣ２１５から通信装置Ｂ２１０へ通信装置Ａのユーザの関心情報を有するデータを含むデータオブジェクトを送信させるため、直接通信または送信要求を送ってもよい。図２では、データオブジェクト送信２５５として、通信装置Ｂへ直接データオブジェクトの送信が表示されている。代わりになる方法では、図２の２６０で表示しているようにデータオブジェクト要求をサーバＣ２１５へ送信すること、その結果としてサーバＣ２１５から装置Ｂ２１０へデータオブジェクトの送信２６５させること、を含む。ある実施形態では、データオブジェクトサーバＣ２１５へ要求が通信装置Ｂ２１0の認証情報と通信装置Ａ２０５に関するユーザの関心情報、を含む。ある実施形態では、共通の興味のグループも同じように設立してもよい。即ち、ユーザ３人以上のではすべてのユーザがある音楽のタイプまたはあるカテゴリーに関心持つこと表示するデータが送受されてもよい。
【００２２】
ある実施形態では、通信装置Ａ２０５のユーザの関心を表示する基本データオブジェクトを受信してから、通信装置Ｂ２１０は基本データオブジェクトからユーザＡの関心情報を取得し、通信装置Ｂ２１０のユーザ自身の関心情報と重ね合わせてもよい。それから通信装置Ｂ２１０は、２７０に表示しているように、データオブジェクトサーバＣ２１５に、通信装置Ａ２０5へ第二データオブジェクトを送るように要求する要求を送信してもよい。ある実施形態では、要求された第二データオブジェクトが通信装置A２０５と通信装置B２１０とのユーザの共通の関心がある情報、例えば、ユーザAが好きな音楽グルプの写真とその音楽グルプの最新作をダウンロードするためのURL、を含んでもよい。ある実施形態では、第二データオブジェクトの、即ち、通信装置Bの要求により特定された、タイプを含んでもよい。ある実施形態では、要求された第二データオブジェクトは共通の関心に関する写真とそのリンクとオプションとして図的なまたはテキストの情報を含んでもよい。
【００２３】
２７５に表示しているように、要求を受けてから、データオブジェクトサーバC２１５はデータオブジェクトを作成して、それを通信装置B２１０に送信してもよい。上の述べたように、ある実施形態では通信装置A２０５と通信装置B２１０とのユーザが共通の興味のあるデータ、又は、データオブジェクト、又は電話ページから送信できるどんなデータでも含んでもよい。ある実施形態では、データオブジェクトサーバが自分自身でデータオブジェクトを組み立てる能力がない場合には、データオブジェクトサーバが追加情報をサーバD２２０のような外部ソースから要求してもよい。上の実施形態では、例として、データオブジェクトサーバC２１５が音楽グループの最新曲をダウンロードするためのリンクを要求してもよい。その時、サーバD２２０が情報そのもの、又はその情報を取得できるリンクを要求の返事として返してもよい。第二データオブジェクトを組み立てたら、データオブジェクトサーバがそれを通信装置A２０５と/または通信装置B２１０に送信してもよい。以上のプロセスは繰り返して実行することが出来る。
【００２４】
要するに、ここで公開されるシステムと方法は、ユーザが二人又は複数が基本的な通信を行っているとき、そのユーサの間でＩＰリンク（ＵＲＬ）、画像、データのような共通の関心をあるものを共有することを可能にする。一般的に、このプロセスがデータオブジェクトを直接にＡからＢに送信することで開始し、それから、Ｂから要求がある追加データオブジェクトをＣからＡとＢと両方に送信する。そこから、ＡとＢと共通の関心のあるデータオブジェクトを共有するのでプロセスは繰り返して実行することができる。例えば、Ａはある音楽グループに関心を示すデータオブジェクトを送信してもよい。その時Ｂは、サーバＣを通して、その音楽グループの人気のある新曲を示すリンクを有する新しいデータオブジェクトで返事をしてもよい。Ｂが要求したこのデータオブジェクトは、ＡとＢの両方に送信される。Ａは、その音楽グループに関するもう一つの曲のサンプルまたはリンクを有するもう一つのデータオブジェクトを要求と／または送信することで返事をしてもよい。
【００２５】
図３は共通の関心が持つ情報を通信装置の間で共有する実施形態の方法を表示している。図３の方法は、例えば、通信システムの、図２の装置Ａ２０５のような第一通信装置を操作する第一ユーザが、図２の装置Ｂ２１０のような第二装置を操作する第二ユーザと通信するように実装してもよい。
【００２６】
図３の方法は、ブロック３１０で示しているように、第一通信装置でのトリガイベントを監視することで開始する。以上述べたように、このトリガイベントは、第一通信装置と第二通信装置との間での通信に関して起きることができる様々なイベントであってもよい。ある場合には、トリガイベントは第一通信装置のユーザが選んだボタンまたはメニューの実行し、共有したい情報を示すことでもよい。
【００２７】
ブロック３２０では、ブロック３１０でトリガイベントを検出してから、それに応えるデータオブジェクトを組み立てる。そのデータオブジェクトが第一ユーザの関心、例えば音楽種類、アーテスト、レストラン、食べ物種類、学校、職業、運動部などを示す情報一つまたは複数を含む。このような関心情報は何かの標準に従ってエンコードされる、または"Pop", "Beatles", "Washington Redskins"などのようなキーワードを備える。
【００２８】
さらに、そのデータオブジェクトは第二通信装置に関する一つまたは複数の属性に基づいてもよい。その特性は、以下に限らず例として、第二通信装置の通信アドレス（例えば特定のデバイスの能力の推定可能にする）、第二通信装置のデバイス能力、第一通信装置と第二通信装置の間での通信のための通信タイプ、第二通信装置のユーザのプレファランスのプロファイルなどが含む。例えば、第一通信装置は第二通信装置がビデオレンダリングを可能であること知る場合には（これは基本通信によって推定するかまたは以前の通信により推定する）、特定なキーワード、またはパラメータがデータオブジェクトに追加、またはデータオブジェクトから削除する。同じように第一ユーザの関心情報も第一通信装置の属性に従ってフィルタリングしてもよい。例えば、第一通信装置がｍｐ３ファイル再生することできるけれども、Advanced Audio Codec (AAC)ファイルを再生ができなければ、関心情報はそれに対すようなものになる。
【００２９】
ブロック３３０では、第一データオブジェクトを第二通信装置に送信を行う。第一データオブジェクトの組み立ては第一通信装置で行われた場合には、第一通信装置が、電子メール、インスタントメセージ、ＳＭＳなどのようなどん通信方法でも使って、第一データオブジェクトを第二通信装置へ送信する。その他の実施形態では、第一通信装置がデータオブジェクトの送信を外部サーバＣに要求することで開始するために、ブロック３２０と３３０のステップが逆になってもよい。その場合には、外部データオブジェクトサーバが、所定の関心データに基づいて、第一データオブジェクトを組み立ててもよい。
【００３０】
上で述べたように、共通の関心情報を決定するために第一データオブジェクトの第一ユーザの関心情報を第二ユーザの関心情報と合成してもよい。両方も関心持っているデータを取得するために共通の関心情報を使用してもよい。そのため、ブロック３４０では、第一ユーザが、第一データオブジェクトに応じて、第一ユーザと第二ユーザとの共通の関心情報に関するデータを持つ第二データオブジェクトを受信する。この第二のデータオブジェクトは第二通信装置のユーザにより送信される、または、第二通信装置のユーザの代わりにデータオブジェクトサーバより送信されてもよい。最終的に、ブロック３５０では、第二データオブジェクトが第一通信装置より処理される。この処理は、第二データオブジェクトに含まれている文字列、イメージ、ビデオ（従来技術によって適切なエンコード、と／または圧縮されている）の表示、または第二データオブジェクトに有するＵＲＬのようなポインタを使ってデータ取得することが含まれている。
【００３１】
通信システムで、共通の関心のあるデータが処理するもう一つの方法が図４で表示されている。図４の方法は、図３で表示されている方法のある側面には対応し、図２の装置B２１０のような第二通信装置の実装に基づいて説明するとより明らかになる。
【００３２】
図４の方法は、ブロック４１０で表示されているように、リモート装置のユーザの関心情報を含む第一データオブジェクトを受信することで開始する。従って、図４の方法が図２の装置B２１０で実装されている時、第一データオブジェクトに含まれている関心情報が装置A２０５に対応する。発明の属する技術の分野における通常の知識を有する者は第一データオブジェクトがリモート装置によりまたはリモート装置の代わりに、例えば図２のサーバC２１５、より送信されていることが理解できる。
【００３３】
関心情報に加えて、第一データオブジェクトはリモート装置に関係する属性情報を含んでもよい。その属性情報が、例えば、ある種類のデータをレンダリングまたはデコードすることができるかどうかを示すリモート装置の一つまたは複数のデバイス能力又は抑止、を表示してもよい。この属性情報は、リモートユーザの関心情報とローカルユーザ（例えば装置Ｂ２１０のユーザ）の関心情報と共に使って、両方のユーザも共通の関心があるデータオブジェクト一つまたは複数をもらうための、ブロック４２０で表示しているように、データオブジェクト要求を作成する。
【００３４】
一般的にはデータオブジェクト要求の組み立てはリモートユーザからもらった関心情報とローカルに保存されているローカルユーザの関心情報が比較することが含まれている。たとえば、第一データオブジェクトに含まれているキーワードはローカルユーザの関心プロファイルと比較される。ある実施形態では、第一データオブジェクトのキーワードまたは第一データオブジェクトの他のパラメータがローカルに保存されているファイルのタイトルと／又はメタデータと比較される。例としては、第一データオブジェクトはキーワード"Beatles"を含まれ、そのキーワードがローカルデバイスに保存しているファイルのタイトルと／またはメタデータと比較される。一致することが共通の関心あることが表示していて、複数が一致することが、一つの一致することに比べて強い共通の関心あることを表示している。
【００３５】
様々なフィルターや予測アルゴリズムもパラメータと／またはキーワード一致のともに使用してもよい。たとえば、キーワードの一致が多くのものを一致させる。そのように一致したものの頻度、他の関心に従ってフィルタリングまたは重みつけ、一致データの作成またはアクセスの新来性などにより判断されてもよい。同じように、予測アルゴリズムはデータ又はタイプの間の明らかな関係を利用してもよい。例としては、グループの中でいくつかのものが一致する時、例えば、二つの音楽グループが音楽ジャンルの中で一致する時、第三の音楽グループもその二つの音楽グループに関心を持つ者が関心を持ち得ることが予測できる。
【００３６】
共通の関心が認識又は予測してから、一つ又は複数のパラメータ又はキーワードを備えるデータオブジェクト要求をデータオブジェクトサーバに、ブロック４３０で表示されるように、送信される。上に述べた第一と第二ユーザ装置のどんな属性にも対する、一つ又は複数のパラメータがデータオブジェクト要求に含まれてもよい。ある実装形態では、データオブジェクト要求が要求されたデータオブジェクトの種類、例えば、音声、ビデオ、画像、テキスト、を確認する追加パラメータを備える。高度な予測アルゴリズムとユーザ装置より大量のデータにアクセスできるデータオブジェクトサーバは共有関心のあるもの一つ又は複数を検索するためデータオブジェクト要求を使用してもよい。従って、第二データオブジェクトにはデータと/又はデータを指定しているURL複数又は一つを含まれていて、それらが要求している装置に送信される。
【００３７】
ブロック４４０では、その第二データオブジェクトを要求装置により受信される。そして要求装置は第二データオブジェクトをリモート装置へ転送する。代わりに、データオブジェクトサーバに送信するデータオブジェクト要求はリモート装置の通信アドレスも備えることで、データオブジェクトサーバは両装置にも第二データオブジェクトは一括で送信してもよい。
【００３８】
本願発明に従ったもう一つの実施形態が図５に表示されている。その表示されて方法はデータオブジェクトサーバ、例えば図２のサーバC２１５、で実現してよく、以下のようにその状況のなかで説明される。しかしながら、技術の分野における通常の知識を有する者が本願発明の図で表している方法、最終のステップを除いて、図２のB２１０のようなユーザ通信装置で実現してもよい。
【００３９】
ブロック５１０では、少なくとも通信セッションに参加する第一ユーザの関心情報を含む第一データオブジェクトを受信する。その第一データオブジェクトは第一ユーザ装置から受信するか、又は、第二ユーサ装置から、第二ユーザ装置が第一ユーザ関心情報に第二ユーザの関心情報を追加してから、受信してもよい。ブロック５１５では、第二ユーザの関心情報を受信する。ある実施形態では、第二ユーザの関心プロファイルとして、第二関心情報はローカルで格納される。他の実施形態では、ユーザの関心プロファイルは、第二ユーザの識別子を使って、リモート場所から取得してもよい。ある実施形態では、第二ユーザ関心情報は第一データオブジェクトに含まれてもよい。またある実施形態では、第二ユーザの全ての又は部分的なユーザ関心情報は第二ユーザに関する他のデータ（例えばファイル名、メタデータ、など）から取得してもよい。
【００４０】
ブロック５２０では、第一データオブジェクトから得られる第一ユーザ関心情報と通信セッションに参加する第二ユーザ関心情報とを比較される。この関心情報の比較は、図４に参照しながら上で説明した、キーワードの一致、又はもっと高度な処理を備える。
【００４１】
ブロック５２０の比較処理が共通の関心情報を生成する。ブロック５３０、共有関心情報はユーザの共有関心に関するデータをリモートサーバから取得するため使用される。図５の方法を図２のサーバC２１５のようなサーバとして実現される実施形態では、全て又は一部の共有関心データは一つ又は複数の、サーバＤ２２０のようなリモートサーバから取得してもよい。図５の方法を図２の装置B２１０のようなユーザ装置として実現される実施形態では、共有関心データは、サーバＣ２１５のような第一サーバから、又は、サーバＤ２２０のようなリモートサーバから、又はサーバＣ２１５を中間として使用してから取得してもよい。
【００４２】
どんな場合でも、ブロック５４０で表示しているように、第二データオブジェクトは一つ又は複数のユーザに共通の関心のあるデータ項目が第二データオブジェクトに含まれる。ブロック５５０では、第二データオブジェクトを第一ユーザ装置に送信される。本願発明の技術の分野における通常の知識を有する者はそれをサーバ組み立てることで又はユーザ装置に要求することで行うことが出来るのは理解できる。ブロック５６０では、第二のデータオブジェクトを第二ユーザ装置に送信される。従って、両方のユーザ装置も共通の関心のあるデータ項目にアクセスすることが出来る。技術の分野における通常の知識を有する者は本願発明の方法は通信相手が２人以上の場合に拡張できることが分かる。
【００４３】
図６は様々の実施形態で使われている通信装置６００の一例を表示している。表示されている実施形態では携帯電話、又は携帯電話機能があるPDA（パーソナル・デジタル・アシスタント）を備える。送信装置６００は少なくとも一つのメモリ部６５１に接続している中央演算処理装置（ＣＰＵ）６５０、また少なくとも一つの表示部６２０。ＣＰＵ６５０はユーザに例えば、数値、または文字のキャラクターを入力可能にするキーボード装置又は領域６５２に接続されてもよい。メモリ部６５１は、電源は一時的になくなっても情報を保有するため不揮発性メモリ（例としてEEPROM、SIMカード）を含んでもよい。
【００４４】
CPU６５０は、到着するデータは周波数変調信号から変換する、又は、発信するデータを周波数変調信号に変換する無線通信部６１０に更に接続する。無線通信部６１０は、無線信号を受信と送信のためのアンテナ６６０に接続する。無線通信部６１０は、音声通信可能にするため、直接的に又は間接的にイヤホン６３０とマイクロホン６４０に接続されてもよい。送信装置６００は、少なくとも一つのデータオブジェクトをレンダリングできるブラウザー６７１、データオブジェクトを暗号化と復号化とための暗号化/復号化エンジン６７２のような複数のプログラム６７０を備えている。通信装置６００は、追加として、通信ネットワークを使用しなく、データオブジェクトの保存と取得可能にするキャッシュメモリを含んでもよい。
【００４５】
本願発明のある実施形態では、ＣＰＵ６５０と/または通信装置６００に含まれる他の処理ロジックは上の述べた処理を実行するように設定されている。特に一つの実施形態では、通信装置６００は、通信装置６００と第二通信装置との間の通信に関するトリガイベントの発生を検出するように設定された処理ロジックを含めている。トリガイベントに応じて、第一ユーザの関心を示す情報一つまたは複数を含む第一データオブジェクト、を第二通信装置に通信することが開始するように処理ロジックが設定される。ある実施形態では、通信装置６００は第一データオブジェクトを生成し、送信してよく、他の実施形態では、通信装置６００の要求により第一データオブジェクトの再生と送信をデータオブジェクトサーバが行う。以上説明しているように、リモートサーバまたはデータオブジェクトサーバが第一データオブジェクトを使って、第一装置のユーザと第二装置のユーザの関心データ項目、一つまたは複数を有する第二データオブジェクトを組み立てる。従って、通信装置６００は更に第二データオブジェクトを受信し、第二データオブジェクトの含まれる一つ又は複数のデータ項目表示、又は、一つ又は複数のデータ項目を第二データオブジェクトに含まれるURLを使って取得などの処理するように設定される。
【００４６】
他の実施形態では、通信装置６００の処理ロジックは、リモートユーザの関心を一つまたは複数を示す第一データオブジェクトを受信するように設定されてもよい。それらの実施形態では、通信装置６００が、第一データオブジェクトに含まれている第一関心情報と装置６００のユーザの関心とを使用して第二データオブジェク要求を組み立てるように設定されてもよい。装置６００は結果として得られる第二データオブジェクト要求を、第一装置ユーザと第二装置ユーザの共通の関心を一つまたは複数を含む第二データオブジェクトを組み立てるため第二データオブジェクト要求を使用するデータオブジェクトサーバに送信するように設定されている。装置６００は、第二データオブジェクト要求に応じて、第二データオブジェクトを受信するように設定される。ある実施形態では、装置６００が第二データオブジェクトをリモート通信装置に転送するように設定される。
【００４７】
図７は、本願発明の実施形態一つまたは複数によるデータオブジェクトサーバ７００を表示している。データオブジェクトサーバ７００は、メモリ部７１０に接続された少なくても一つのCPU７３０と、キャッシュメモリ７５０と、少なくとも一つのデータベース７４０と、少なくとも一つのネットワークインタフェース７２０とを備える。メモリ部７１０とデータベース７４０とは、フラッシュ、又は、磁気の不揮発性メモリ又は光学式格納装置を含んでもよい。ネットワークインターフェース７２０は、CPU７３０によるデータネットワーク１３０を通してのデータ送信と受信を可能にする。キャッシュメモリ７５０は、頻繁に使用されるデータオブジェクトを、CPUがすぐに取得できるように、格納することが可能にする。データベース７４０は、通信装置４００などの実際の通信装置が要求できる、例えば図１の無線ネットワークとインターネット１３０を通して、データオブジェクトを格納している。データオブジェクトサーバは、通信装置のレンダリング能力に従って最適化可能にするフィルター７６１、データオブジェクト要求を暗号化と復号化とための暗号化/復号化エンジン７６２に限らず複数のプログラム７６０を更に備える。
【００４８】
本願発明のある実施形態では、データオブジェクトサーバが以上説明された一つ又は複数の方法を実行するように設定される。特にデータオブジェクトサーバ７００では、第一通信装置ユーザの関心を一つまたは複数を含む第一情報を有する第一データオブジェクトを受信するように設定した処理ロジック（例えば、適切なソフトウェアで設定されたＣＰＵ７３０）を備えてもよい。データオブジェクトサーバ７００は、第一情報と第二通信装置ユーザの関心一つ又は複数を示す第二情報とを使用して、第一通信装置ユーザと第二通信装置ユーザの共通の関心一つ又は複数を含む第二データオブジェクトを組み立ててもよい。データオブジェクトサーバ７００が更に、第二データオブジェクトを第一通信装置に、又は第二通信装置に、又は両方にも送信するように設定される。
【００４９】
技術の分野における通常の知識を有する者が通信装置６００とデータオブジェクトサーバ７００との様々な機能が様々なハードウェアとソフトウェアの組み合わせにより実行できると理解できる。それに沿って、説明されたそれぞれの処理ブロックが、ある実施形態では商用の又はカスタマイズした、マイクロプロセッサ、マイクロコントローラ、又はデジタル信号部に直接対応する。他の実施形態では、通信装置６００とデータオブジェクトサーバ７００との二つまたは複数の機能ブロック又は機能要素が一つの処理部で実装し他のブロックの機能は二つ又は複数の処理部に分けてもよい。同様に、メモリ部６１５、とメモリ部７１０は  本願発明の実施形態の一つ又は複数に従って基地局機能を実現するためのソフトウェア、フィルムウェアを含む一つまた複数のメモリ装置を表示している。そのため、メモリ装置は以下の限らずcache, ROM, PROM, EPROM, EEPROM, flash, SRAM, and DRAMなどの装置が備える。
【００５０】
技術の分野における通常の知識を有する者が本願発明は幅広く、通信システムの二人又は複数人のユーザの間で共通の関心あるデータを処理するための方法と装置を提案することが認める。当然ながら、本願発明の本質から離れることなく以上説明した方法以外の方法で実現できる。従って、本願発明は以上の説明は図面に述べている機能、特徴、と利点に限られない。実際に、本願発明の技術的範囲は以下の請求項とそれらの法律上均等物にだけに限られる。
【図１】
2010529714.tif 000003
【図２】
2010529714.tif 000004
【図３】
2010529714.tif 000005
【図４】
2010529714.tif 000006
【図５】
2010529714.tif 000007
【図６】
2010529714.tif 000008
【図７】
2010529714.tif 000009
【手続補正書】
【提出日】平成22年1月7日(2010.1.7)
【手続補正１】
【補正対象書類名】明細書
【補正対象項目名】０００９
【補正方法】変更
【補正の内容】
【０００９】
以下説明される方法はある実施形態ではモバイル端末で実現され、ある実施形態ではデータオブジェクトサーバで実現され、さらにある実施形態では両方にも実現される。ここでは、通信装置ユーザ間で共通の関心を持つ情報を処理する通信装置の実施形態も公開され、さらに、本願発明の多数の側面からなるデータオブジェクトの実施例も公開される。
例えば、方法の一例は、第一通信装置と第二通信装置との間の通信に関連するトリガイベントの発生を検出する工程と、トリガイベントの発生に応じて、第一通信装置のユーザの１以上の関心を示す情報を含んだ第一データオブジェクトの、第二通信装置への伝送を開始する工程とを有する。方法は、さらに、第一データオブジェクトに応じて作成された、第一通信装置のユーザと第二通信装置のユーザとが共有する共通の１以上の関心に関連するデータを含んだ第二のデータオブジェクトを受信する工程と、第二のデータオブジェクトを処理する工程とを有する。他の実施形態では、第一データオブジェクトの第二通信装置への伝送を開始する工程は、データオブジェクトサーバが、第一データオブジェクトを第二通信装置へ送信すること要求する工程を有する。更に他には、第一データオブジェクトの第二通信装置への伝送を開始する工程は、第一データオブジェクトを第二通信装置に送信する工程を有する。
ある実施形態では、第一データオブジェクトの第二通信装置への伝送を開始する工程の前に、第二通信装置に対応する少なくとも一つの属性に基づき第一データオブジェクトを組み立てる工程をさらに有し、少なくとも一つの属性には、第二通信装置の１以上の通信アドレスと、第二通信装置のデバイス能力と、第一通信装置と第二通信装置との間の通信の通信種類と、第二通信装置のプリファレンスプロファイルとが含まれてもよい。
ある実施形態では、トリガイベントには、第一通信装置と第二通信装置との間に通信セション又は呼を確立することと、第一通信装置と第二通信装置との間に第二通信セッションを確立することと、タイマーに基づいた周期的またはランダムなイベントと、第一通信装置のユーザによる手動による起動とのいずれかが含まれる。
他の方法の一例は、第一通信装置のユーザの１以上の関心を示す第一情報を含んだ第一データオブジェクトを受信する工程と、第二通信装置のユーザの１以上の関心を示す第二情報を取得する工程と、第一情報と第二情報とから、第一通信装置のユーザと第二通信装置のユーザとが共有する共通の１以上の関心に関連するデータを含む第二のデータオブジェクトを組み立てる工程と、第二のデータオブジェクトを第一の通信装置に送信する工程とを有する。これらの実施形態のあるものでは、データオブジェクトサーバで実行し、データベースから第二情報を取り出すことを有する第二情報を取得する工程を備える。さらに、他のものでは、データオブジェクトサーバで実行し、第一データオブジェクトは第二通信装置から受信と第一データオブジェクトから第二情報を取り出すこと有する第二情報取得とを備える。
ある実施形態では、データオブジェクトサーバで実行し、一つ又は複数の共通の関心項目に関係するデータ全てまたは一部は他のサーバから取得することを備える。あるものでは、第二通信装置で実行し、一つ又は複数の行動関心に関係するデータ全てまたは一部は、データオブジェクトサーバから第一データと第二ダータを使用し取得を備える。
ある実施形態では、第一データオブジェクトは第一通信装置に対応する１以上の属性パラメータを有し、第一情報と第二情報とから第二データオブジェクトを組み立てる工程は、１以上の属性パラメータに基づいて該第二データオブジェクトを適用する工程を有する。１以上の属性パラメータには、第一通信装置の１以上の通信アドレスと、第一通信装置のデバイス能力と、第一通信装置と第二通信装置との間の通信の通信種類と、第一通信装置のプリファレンスデータとが含まれてもよい。
さらに他の方法の一例は、第二通信装置において、第一通信装置のユーザの１以上の関心を示す第一情報を含んだ第一データオブジェクトを受信する工程と、第一情報と、第二通信装置のユーザの１以上の関心を示す第二情報とから、データオブジェクト要求を組み立てる工程とを有する。この方法はさらに、データオブジェクトサーバへデータオブジェクト要求を送信する工程と、データオブジェクト要求に応じて、第一通信装置のユーザと第二通信装置のユーザとが共有する共通の１以上の関心に関連するデータを含む第二データオブジェクトを受信する工程とを有する。
ある実施形態では、第一通信装置へ第二データオブジェクトを転送することをさらに備える。ある実施形態では、第一データオブジェクトが第一通信装置に対応する少なくとも一つの属性パラメータを有することと、第一情報と第二情報から第二データオブジェクトを組み立てるとき少なくとも一つの属性パラメータに基づいて第二データオブジェクトを適用することとをさらに備える。
他の実施形態は、第二通信装置と通信する第一通信装置を含み、当該第一通信装置は、第一通信装置と第二通信装置との間での通信に関連するトリガイベントの発生を検出し、トリガイベントの発生に応じて、第一通信装置のユーザの１以上の関心を示す情報を含んだ、第一データオブジェクトの第二通信装置への伝送を開始し、第一データオブジェクトに応じて作成された、第一通信装置のユーザと第二通信装置のユーザとが共有する共通の１以上の関心に関連するデータを含む第二データオブジェクトを受信し、第二データオブジェクトを処理するのための処理ロジックを有する。ある実施形態では、第一データオブジェクトを第二通信装置に送信起因には、第一データオブジェクトを第二通信装置へ送信するようにデータオブジェクトサーバへ送信要求する処理ロジックを設定することを備える。他の実施形態では、第一データオブジェクトを第二通信装置に送信起因は第一データオブジェクトを第二通信装置に送信処理ロジックを設定することを備える。これらの実施形態のあるものでは、第一データオブジェクトを組み立てるのは、第二通信装置に対応する、少なくとも一つの属性に基づくように処理ロジックを設定することを備える。
他の実施形態には、処理ロジックを備えたデータオブジェクトサーバが含まれ、この処理ロジックは、第一通信装置のユーザの１以上の関心を示す第一情報を有する第一データオブジェクトを受信し、第一情報と第二通信装置のユーザの１以上の関心を示す第二情報とから、第一通信装置のユーザと第二通信装置のユーザとが共有する共通の１以上の関心に関連するデータを含む第二データオブジェクトを組み立て、第一通信装置に第二データオブジェクトを送信する。ある実施形態では、第二情報をデータベースから取得するように処理ロジックを設定することを備える。他のものでは、第二情報を第一データオブジェクトから取得するように処理ロジックを設定することを備える。ある実施形態では、第一通信装置に対応する属性パラメータは少なくとも一つを有する第一データオブジェクトと、第一情報と少なくとも一つの属性パラメータにより第二データオブジェクトを適用することを有する第二情報とで組み立てる第二データオブジェクトと、であるように処理ロジックを設定する。
もちろん、技術の分野における通常の知識を有する者は、本願発明は以上の背景または例に限らないことが分かるし、追加特徴や利点が以下の詳細の説明と図により分かるだろう。
【手続補正２】
【補正対象書類名】特許請求の範囲
【補正対象項目名】全文
【補正方法】変更
【補正の内容】
【特許請求の範囲】
【請求項１】
通信ネットワークのユーザに共通する関心のデータを処理する方法であって、
第一通信装置と遠隔の第二通信装置との間の主要な通信セッションに関連するトリガイベントの発生を検出する工程（３１０）と、
前記トリガイベントの発生に応じて、前記第一通信装置のユーザの１以上の関心を示す情報を含んだ第一データオブジェクトの、前記通信ネットワークを介した前記第二通信装置への伝送を開始する工程（３３０）と、
前記第一データオブジェクトに応じて作成された、前記第一通信装置のユーザと前記第二通信装置のユーザとが共有する共通の１以上の関心に関連するデータを含んだ第二のデータオブジェクトを受信する工程（３４０）と、
前記第二のデータオブジェクトを処理する工程（３５０）と
を有することを特徴とする方法。
【請求項２】
前記第一データオブジェクトの前記第二通信装置への伝送を開始する前記工程（３３０）は、データオブジェクトサーバが、前記第一データオブジェクトを前記第二通信装置へ送信すること要求する工程を有することを特徴とする請求項１に記載の方法。
【請求項３】
前記第一データオブジェクトの前記第二通信装置への伝送を開始する前記工程（３３０）は、前記第一データオブジェクトを前記第二通信装置に送信する工程を有することを特徴とする請求項１に記載の方法。
【請求項４】
前記第一データオブジェクトの前記第二通信装置への伝送を開始する前記工程（３３０）の前に、前記第二通信装置に対応する少なくとも一つの属性に基づき前記第一データオブジェクトを組み立てる工程（３２０）をさらに有し、
前記少なくとも一つの属性には、前記第二通信装置の１以上の通信アドレスと、前記第二通信装置のデバイス能力と、前記第一通信装置と前記第二通信装置との間の通信の通信種類と、前記第二通信装置のプリファレンスプロファイルとが含まれる
ことを特徴とする請求項３に記載の方法。
【請求項５】
前記トリガイベントには、前記第一通信装置と前記第二通信装置との間に通信セション又は呼を確立することと、前記第一通信装置と前記第二通信装置との間に第二通信セッションを確立することと、タイマーに基づいた周期的またはランダムなイベントと、前記第一通信装置のユーザによる手動による起動とのいずれかが含まれることを特徴とする請求項１に記載の方法。
【請求項６】
通信ネットワーク内の第一通信装置及び第二通信装置のユーザに対して共通の関心のデータを提供する、データオブジェクトサーバにおける方法であって、
前記第一通信装置の前記ユーザの１以上の関心を示す第一情報と、前記第二通信装置の前記ユーザの１以上の関心を示す第二情報とを含んだ第一データオブジェクトを受信する工程（５１０）と、
前記第一情報と前記第二情報とから、第一通信装置のユーザと第二通信装置のユーザとが共有する共通の１以上の関心に関連するデータを含む第二のデータオブジェクトを組み立てる工程（５４０）と、
前記第二のデータオブジェクトを前記通信ネットワークを介して前記第一の通信装置に送信する工程（５５０）と
を有することを特徴とする方法。
【請求項７】
前記第一データオブジェクトは前記第一通信装置に対応する１以上の属性パラメータを有し、
前記第一情報と前記第二情報とから前記第二データオブジェクトを組み立てる前記工程は、前記１以上の属性パラメータに基づいて該第二データオブジェクトを適用する工程を有し、
前記１以上の属性パラメータには、前記第一通信装置の１以上の通信アドレスと、前記第一通信装置のデバイス能力と、前記第一通信装置と前記第二通信装置との間の通信の通信種類と、前記第一通信装置のプリファレンスデータとが含まれる
ことを特徴とする請求項６に記載の方法。
【請求項８】
通信ネットワークのユーザに対して共通の関心のデータを提供する方法であって、
第二通信装置において、第一通信装置のユーザの１以上の関心を示す第一情報を含んだ第一データオブジェクトを受信する工程（４１０）と、
前記第一情報と、前記第二通信装置のユーザの１以上の関心を示す第二情報とから、データオブジェクト要求を組み立てる工程（４２０）と、
データオブジェクトサーバへ前記データオブジェクト要求を送信する工程（４３０）と、
前記データオブジェクト要求に応じて、前記第一通信装置のユーザと前記第二通信装置のユーザとが共有する共通の１以上の関心に関連するデータを含む第二データオブジェクトを受信する工程（４４０）と
を有することを特徴とする方法。
【請求項９】
遠隔の第二通信装置と通信ネットワークを介して通信する第一通信装置（６００）であって、
当該第一通信装置（６００）は、
前記第一通信装置（６００）と前記第二通信装置との間での主要な通信セッションに関連するトリガイベントの発生を検出し、
前記トリガイベントの発生に応じて、前記通信ネットワークを介して、前記第一通信装置（６００）のユーザの１以上の関心を示す情報を含んだ、第一データオブジェクトの前記第二通信装置への伝送を開始し、
第一データオブジェクトに応じて作成された、前記第一通信装置のユーザと前記第二通信装置のユーザとが共有する共通の１以上の関心に関連するデータを含む第二データオブジェクトを受信し、
前記第二データオブジェクトを処理する
のための処理ロジック（６５０、６５１）を有することを特徴とする第一通信装置。
【請求項１０】
処理ロジック（７３０，７１０，７５０）を備えたデータオブジェクトサーバ（７００）であって、
前記処理ロジック（７３０，７１０，７５０）は、
第一通信装置のユーザの１以上の関心を示す第一情報と、第二通信装置のユーザの１以上の関心を示す第二情報とを有する第一データオブジェクトを受信し、
前記第一情報と前記第二情報とから、前記第一通信装置のユーザと前記第二通信装置のユーザとが共有する共通の１以上の関心に関連するデータを含む第二データオブジェクトを組み立て、
前記第一通信装置に前記第二データオブジェクトを送信する
ことを特徴とするデータオブジェクトサーバ（７００）。
【国際調査報告】
2010529714.tif 000010
2010529714.tif 000011
2010529714.tif 000012